【手続補正書】
【提出日】平成17年10月14日(2005.10.14)
【手続補正１】
【補正対象書類名】明細書
【補正対象項目名】特許請求の範囲
【補正方法】変更
【補正の内容】
【特許請求の範囲】
【請求項１】  互いに間隔を隔てて配置された多数の歯によって規定される切削端を備えた鋸ブレードであって、
各歯が、
先端部と、
上記先端部の一側に形成されたすくい面と、
上記先端部の上記すくい面と反対側に形成され、第１鋭形逃げ角を規定する第１クリアランス面と、
上記第１クリアランス面の上記先端部と反対側に形成され、上記第１鋭形逃げ角よりも小さい第２鋭形逃げ角を規定する第２クリアランス面と、
上記第２クリアランス面の上記第１クリアランス面と反対側に形成され、上記第１及び第２逃げ角よりも大きい第３鋭形逃げ角を規定する第３クリアランス面と、
上記すくい面の上記先端部と反対側に形成され、上記ブレードの長手方向に沿って、歯の一側から他側までほぼ延出する溶接域と、
上記すくい面の上記先端部と反対側に形成され、上記溶接域の一端を越えて延出するすくい面突起とを備え、
上記すくい面突起は、上記すくい面によって規定される平面に対して外側に突出し、上記第２及び第３クリアランス面は、上記歯の上記すくい面突起とは反対の外側に突出し、上記第２及び第３クリアランス面の少なくとも一つが、上記歯の上記すくい面突起とは反対側で上記溶接域を越えて延出し、それにより上記溶接域における歯の厚さが増加することを特徴とする鋸ブレード。
【請求項２】  上記第１鋭形逃げ角が、約２０°から約３５°の範囲内である請求項１記載の鋸ブレード。
【請求項３】  上記第２鋭形逃げ角が、約５°から約２０°の範囲内である請求項１記載の鋸ブレード。
【請求項４】  上記第３逃げ角が、約４０°から約５５°の範囲内である請求項１記載の鋸ブレード。
【請求項５】  各歯が、上記第１クリアランス面とすくい面との間に形成される刃先角を規定し、その刃先角が約４５°から約６５°の範囲内である請求項１記載の鋸ブレード。
【請求項６】  上記すくい面が、上記先端部とすくい面突起との間に、約０．０２５４ｃｍから約０．１０１６ｃｍの範囲内である長さを規定する請求項１記載の鋸ブレード。
【請求項７】  上記第２クリアランス面が、上記第１クリアランス面に近接する第１端部と上記第３クリアランス面に近接する第２端部とを有し、上記第２クリアランス面の上記第１端部は、あさり付けされていない歯の先端部の切削面から下側に、約０．０２５４ｃｍから約０．０７６２ｃｍの範囲内の深さだけ間隔を隔てて配置される請求項１記載の鋸ブレード。
【請求項８】  上記すくい面突起は、上記すくい面の表面から最も突出した表面領域を規定し、その最大突出表面領域は、あさり付けされていない歯の先端部の切削面から下側に、約０．０７６２ｃｍから約０．２５４ｃｍの範囲内の深さだけ間隔を隔てて配置される請求項１記載の鋸ブレード。
【請求項９】  上記最大突出表面領域の深さが、約０．１１４３ｃｍから約０．１９０５ｃｍの範囲内である請求項８記載の鋸ブレード。
【請求項１０】  上記すくい面突起は、上記すくい面の平面と直交する方向に、約０．０１２７ｃｍから約０．１５２４ｃｍの範囲内の厚さを規定する請求項１記載の鋸ブレード。
【請求項１１】  上記すくい面突起の厚さが、約０．０１２７ｃｍから約０．１０１６ｃｍの範囲内である請求項１０記載の鋸ブレード。
【請求項１２】  各歯は、上記すくい面突起の上記先端部と反対側にガレットを規定し、各ガレットは上記ガレット底部と上記歯の上記先端部との間に深さを規定し、各歯は更に、連続する歯の上記先端部間にピッチ距離を規定し、各歯の上記ガレット深さが上記ピッチ距離の少なくとも約４０％である請求項１記載の鋸ブレード。
【請求項１３】  上記すくい面が、あさり付けされていない歯の上記先端部間を延びる面と垂直な面に対して鋭形すくい角を規定し、その鋭形すくい角は約５°から約１０°の範囲内である請求項１記載の鋸ブレード。
【請求項１４】  複数の歯が少なくとも９個の歯のピッチパターンを形成する請求項１記載の鋸ブレード。
【請求項１５】  上記歯ピッチパターンは少なくとも１４個の歯からなり、各ピッチパターンは少なくとも１２の異なるピッチ距離を規定する請求項１４記載の鋸ブレード。
【請求項１６】  上記鋸ブレードは、少なくとも９個の歯のピッチパターンと、各ピッチパターン内の少なくとも一つの振動あさりパターンとを規定する請求項１４記載の鋸ブレード。
【請求項１７】  上記歯が、同じ方向にあさり付けされた連続する歯が、対称面に対して互いに異なるあさり角度を有する振動あさりパターンを規定する請求項１記載の鋸ブレード。
【請求項１８】  上記歯が、異なる水平高さ及びあさりパターンを有する請求項１７記載の鋸ブレード。
【請求項１９】  各歯が、上記すくい面突起の上記すくい面と反対側に形成されたガレットと、上記すくい面突起と上記ガレットとの間に形成された接触ラインとを規定し、上記接触ラインは少なくとも二つのあさり付けされていない歯の先端部間を延びる平面とほぼ直交する面に対して約５°の範囲内である請求項１記載の鋸ブレード。
【請求項２０】  互いに間隔を隔てて配置された多数の歯によって規定される切削端を備えた鋸ブレードであって、
各歯が、
先端部と、
上記先端部の一側に形成されたすくい面と、
上記先端部の上記すくい面と反対側に形成され、第１鋭形逃げ角を規定する第１クリアランス面と、
上記すくい面の上記先端部と反対側に形成され、上記ブレードの長手方向に沿って、歯の一側から他側までほぼ延出する溶接域と、
上記すくい面の上記先端部と反対側に形成され、上記溶接域の一端を越えて延出すると共に、上記すくい面によって規定される平面に対して外側に突出し、上記溶接域における歯の幅を増加させると共に歯剥がれに対する抗力を向上させる第１手段と、
上記歯の上記第１手段とは反対の外側に突出すると共に、上記歯の上記第１手段と反対側で上記溶接域を越えて延出し、上記溶接域における歯の幅を更に増加させると共に歯剥がれに対する抗力を更に向上させる第２手段とを備えたことを特徴とする鋸ブレード。
【請求項２１】  上記歯が、異なる水平高さ及びあさりパターンを規定する請求項２０記載の鋸ブレード。
【請求項２２】  上記第１手段が、上記すくい面の上記先端部と反対側に形成され、上記溶接域の一端を越えて延出し、上記すくい面によって規定される平面に対して外側に突出するすくい面突起を備えた請求項２０記載の鋸ブレード。
【請求項２３】  上記第２手段が、上記第１クリアランス面の上記先端部と反対側に形成され、上記第１鋭形逃げ角よりも小さい第２鋭形逃げ角を規定し、上記歯の上記第１手段と反対側で上記溶接域を超えて延出し、それによって上記溶接域の歯の厚さを増加させる第２クリアランス面を備えた請求項２０記載の鋸ブレード。
【請求項２４】  各歯が、上記第１クリアランス面の上記先端部と反対側に形成され、上記第１鋭形逃げ角よりも小さい第２鋭形逃げ角を規定する第２クリアランス面を備え、上記第２手段が、上記第２クリアランス面の上記第１クリアランス面と反対側に形成され、上記第１及び第２逃げ角よりも大きい第３鋭形逃げ角を規定し、上記歯の上記第１手段と反対側で上記溶接域を超えて延出し、それによって上記溶接域の歯の厚さを増加させる第３クリアランス面で規定された請求項２０記載の鋸ブレード。
【請求項２５】  各歯は、上記第１手段の上記すくい面と反対側に形成されるガレットと、上記第１手段と上記ガレットとの間に形成される接触ラインとを規定し、上記接触ラインは少なくとも二つのあさり付けされていない歯の先端部間を延びる平面とほぼ直交する面に対して約５°の範囲内である請求項２０記載の鋸ブレード。
【請求項２６】  互いに間隔を隔てて配置された多数の歯によって規定される切削端を備えた鋸ブレードであって、
各歯が、
先端部と、
上記先端部の一側に形成されたすくい面と、
上記先端部の上記すくい面と反対側に形成され、第１鋭形逃げ角を規定する第１クリアランス面と、
上記すくい面の上記先端部と反対側に形成され、上記ブレードの長手方向に沿って、歯の一側から他側までほぼ延出する溶接域と、
上記すくい面の上記先端部と反対側に形成され、少なくとも上記溶接域の上記すくい面と近接する側の端部を越えて延出すると共に、上記すくい面によって規定される平面に対して外側に突出し、上記溶接域における歯の幅を増加させると共に歯剥がれに対する抗力を向上させる手段とを備え、
上記多数の歯が異なる水平高さ、及びあさりパターンを規定することを特徴とする鋸ブレード。
【請求項２７】  上記歯剥がれに対する抗力を向上させる手段が、上記すくい面の上記先端部と反対側に形成され、上記溶接域の一端を越えて延出し、上記すくい面によって規定される平面に対して外側に突出するすくい面突起で規定された請求項２６記載の鋸ブレード。
【請求項２８】  上記歯剥がれに対する抗力を向上させる手段が更に、上記第１クリアランス面の上記先端部と反対側に形成され、上記第１鋭形逃げ角よりも小さい第２鋭形逃げ角を規定し、上記歯の上記すくい面突起と反対側で上記溶接域を超えて延出し、それによって上記溶接域の歯の厚さを増加させる第２クリアランス面で規定された請求項２７記載の鋸ブレード。
【請求項２９】  各歯が、上記第１クリアランス面の上記先端部と反対側に形成され、上記第１鋭形逃げ角よりも小さい第２鋭形逃げ角を規定する第２クリアランス面を備え、上記歯剥がれに対する抗力を向上させる手段が、上記第２クリアランス面の上記第１クリアランス面と反対側に形成され、上記第１及び第２逃げ角よりも大きい第３鋭形逃げ角を規定し、上記歯の上記すくい面突起と反対側で上記溶接域を超えて延出し、それによって上記溶接域の歯の厚さを増加させる第３クリアランス面で更に規定された請求項２７記載の鋸ブレード。
【請求項３０】  各歯は、上記歯剥がれに対する抗力を向上させる手段の上記すくい面と反対側に形成されるガレットと、上記手段と上記ガレットとの間に形成される接触ラインとを規定し、上記接触ラインは少なくとも二つのあさり付けされていない歯の先端部間を延びる平面とほぼ直交する面に対して約５°の範囲内である請求項２６記載の鋸ブレード。
【請求項３１】  対称面の右側にあさり付けされた多数の右側あさり付歯と、対称面の左側にあさり付けされた多数の左側あさり付歯とによって、異なる水平高さ及びあさりパターンが形成され、第１右側及び左側あさり付歯はそれぞれ、対称面に対して第１鋭角であさり付けされ、第２右側及び左側あさり付歯はそれぞれ、対称面に対して上記第１鋭角よりも小さい第２鋭角であさり付けされる請求項２６記載の鋸ブレード。
【請求項３２】  上記第１鋭角は約６°から約２０°の範囲内であり、上記第２鋭角は約２°から約１２°の範囲内である請求項３１記載の鋸ブレード。
【手続補正２】
【補正対象書類名】明細書
【補正対象項目名】０００８
【補正方法】変更
【補正の内容】
【０００８】
また、本発明の好適実施形態に従えば、すくい面突起は、すくい面の表面から最も突出した表面領域を規定し、その表面領域は、あさり付けされていない歯の先端部の切削面から、下側に所定深さだけ間隔を隔てて配置される。この深さは、約０．０７６２ｃｍから約０．２５４ｃｍの範囲であり、最も好ましくは、約０．１１４３ｃｍから約０．１９０５ｃｍの範囲である。さらに、すくい面突起は、すくい面の平面と直交し、約０．０１２７ｃｍから約０．１５２４ｃｍの範囲内の厚さを規定することが望ましい。
【手続補正３】
【補正対象書類名】明細書
【補正対象項目名】００１７
【補正方法】変更
【補正の内容】
【００１７】
図２に最適に示されるように、すくい面は、先端部４０とすくい面突起５４との間を延出する長さＤ１を規定する。この長さＤ１は、約０．０２５４ｃｍから約０．１０１６ｃｍの範囲内である。図示した形態では、すくい面の長さＤ１は約０．０５０８ｃｍである。
【手続補正４】
【補正対象書類名】明細書
【補正対象項目名】００１８
【補正方法】変更
【補正の内容】
【００１８】
図２に示されるように、第２クリアランス面４８は、第１クリアランス面４４に近接する第１端部と第３クリアランス面５０に近接する第２端部とを有する。第２クリアランス面の第１端部は、あさり付けされていない歯（unset tooth）の先端部の切削面Ｘから下側に深さＤ２だけ間隔が隔てられている。本発明に基づく深さＤ２は、約０．０２５４ｃｍから約０．０７６２ｃｍの範囲である。図示した形態では、深さＤ２は約０．０３０４８ｃｍであり、これは、ブレードの通常又は予想される寿命サイクルの期間にこの表面が磨耗することを防ぐために必要とされる最小深さである。
【手続補正５】
【補正対象書類名】明細書
【補正対象項目名】００１９
【補正方法】変更
【補正の内容】
【００１９】
図３に最適に示されるように、すくい面突起５４は、すくい面４２の表面から最も突出した表面領域５６を規定し、その表面領域５６は、あさり付けされていない歯の先端部の切削面から下側に深さＤ３だけ間隔が隔てられている。この深さＤ３は、約０．０７６２ｃｍから約０．２５４ｃｍの範囲であり、最も好ましくは、約０．１１４３ｃｍから約０．１９０５ｃｍの範囲である。また、図２に示されるように、すくい面突起５４はすくい面の平面と直交する方向に厚さＤ４を規定し、この厚さＤ４は、約０．０１２７ｃｍから約０．１５２４ｃｍの範囲が好ましく、約０．０２５４ｃｍから約０．１０１６ｃｍの範囲が最も好ましい。
【手続補正６】
【補正対象書類名】明細書
【補正対象項目名】００２９
【補正方法】変更
【補正の内容】
【００２９】
Ｓ＝あさりなしかき歯（ｒａｋｅｒ  ｔｏｏｔｈ）
ＲＨ＝右側、あさりの重い歯
ＬＨ＝左側、あさりの重い歯
ＲＬ＝右側、あさりの軽い歯
ＬＬ＝左側、あさりの軽い歯
本発明の図示形態において、重くあさりの付けられた歯（即ち、図１におけるＲＨ又はＬＨの歯）は、あさり付けされていない基準歯の先端部面の下側に、約−０．０１０１６ｃｍから約−０．０１５２４ｃｍの範囲で配置される。この深さは各歯のピッチに依存する。
【手続補正７】
【補正対象書類名】明細書
【補正対象項目名】００４０
【補正方法】変更
【補正の内容】
【００４０】
逃げ角Ａ、Ｂ、Ｃは、上記図１〜図４の形態と同様であることが好ましい。更に、図６の第１クリアランス面１４４と第２クリアランス面１４８との間の半径Ｒ４は約０．１５２４ｃｍで、第２クリアランス面１４８と第３クリアランス面１５０との間の半径Ｒ５は約０．２０３２ｃｍである。すくい面の長さＤ１は約０．０５８４２ｃｍで、すくい角Ｅは約９８°（又はあさりのない歯の先端部部間を延びる面に対して垂直な線に対して８°）である。しかしながら、これら角度及び寸法は一例であり、特定の鋸ブレード及び／又は応用（用途）の必要性に応じて適宜変更されうることが、この開示に基づき当業者に認識されるであろう。